【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
車体フロアに形成された収納位置に収納可能な車両用シートであって、
該車両用シートが備えるシートクッションに連結され、該シートクッションを前記収納位置に移動させるために、前記車体フロアに対して取り付けられた回動軸を介して回動する回動リンクと、
前記シートクッションが所定の軌道に沿って前記収納位置に移動するように、ガイドリンク用回動軸を介して回動して前記シートクッションをガイドするガイドリンクと、
前記車両用シートの前後方向において前記ガイドリンクと並ぶ位置に設けられ、前記シートクッションを付勢しながら、付勢部材用回動軸を介して前記ガイドリンクとともに前記車体フロアに対して回動する付勢部材と、を備え、
前記車両用シートの幅方向における前記ガイドリンク用回動軸の外端部は、前記幅方向における前記回動軸の外端部と、前記幅方向における前記付勢部材用回動軸の外端部との間に配置されていることを特徴とする車両用シート。
【請求項２】
前記ガイドリンクの上端部分は、前記シートクッションに連結軸を介して回動可能となるように連結され、
前記ガイドリンクのうち、前記連結軸及び前記ガイドリンク用回動軸がそれぞれ取り付けられる部分は、シート幅方向において前記回動リンクと前記付勢部材の間に配置されていることを特徴とする請求項１に記載の車両用シート。
【請求項３】
前記ガイドリンクのうち、前記連結軸が取り付けられた部分は、シート幅方向において前記付勢部材とは異なる位置に配置されていることを特徴とする請求項２に記載の車両用シート。
【請求項４】
前記回動リンクは、第１リンクと、該第１リンクよりもシート幅方向において前記ガイドリンク側の位置に配置される第２リンクと、を備え、
前記ガイドリンクは、前記車体フロア上に設けられた軸固定具に対して前記ガイドリンク用回動軸を介して取り付けられ、
前記軸固定具は、シート幅方向において前記第２リンクの少なくとも一部分と重なる位置に配置されていることを特徴とする請求項１乃至３のいずれか一項に記載の車両用シート。
【請求項５】
前記回動リンクは、第１リンクと、該第１リンクよりもシート幅方向において前記ガイドリンク側の位置に配置される第２リンクと、を備え、
該第２リンクは、前記車体フロアに対して、上下方向に延びている延出ブラケットを介して取り付けられ、
前記ガイドリンクは、シート幅方向において前記延出ブラケットとは異なる位置に配置されていることを特徴とする請求項１乃至４のいずれか一項に記載の車両用シート。
【請求項６】
前記回動リンクは、第１リンクと、該第１リンクよりもシート幅方向において前記ガイドリンク側の位置に配置される第２リンクと、を備え、
前記ガイドリンクは、シート前後方向において前記第１リンクよりも短くなるように形成され、かつ、シート幅方向において第１リンクよりも幅狭となるように形成されていることを特徴とする請求項１乃至５のいずれか一項に記載の車両用シート。
【請求項７】
前記ガイドリンクは、前記連結軸及び前記ガイドリンク用回動軸のうち少なくとも一方が取り付けられる本体部分と、該本体部分からシート幅方向において前記回動リンク側から前記付勢部材側に延びている延出部分と、を有していることを特徴とする請求項１乃至６のいずれか一項に記載の車両用シート。
【請求項８】
前記第１リンクは、断面略Ｃ字形状からなる一方部分と、断面略Ｃ字形状からなり、前記一方部分よりも幅狭となるように形成され、前記一方部分に対して該一方部分の開口を通じて嵌め込まれている他方部分と、を有し、
前記ガイドリンクの前記延出部分は、シート前後方向において前記他方部分側の位置に配置されていることを特徴とする請求項７に記載の車両用シート。
【請求項９】
前記シートクッションに対してシートバック用回動軸を介して回動可能に取り付けられるシートバックを備え、
前記ガイドリンク用回動軸は、着座者が着座可能な使用状態のときに、シート前後方向において前記シートバック用回動軸よりも前方に配置されていることを特徴とする請求項１乃至８のいずれか一項に記載の車両用シート。
【請求項１０】
前記車体フロアと前記シートクッションの間に配置され、該シートクッションを支持する支持部材を備え、
該支持部材は、回動自在な状態で前記シートクッションに連結され、収納状態のときに前記シートクッション側へ折り畳まれるように回動し、かつ、中継部材を介して前記回動リンクと連結されており、
前記ガイドリンクは、使用状態のときにシート前後方向において前記中継部材とは異なる位置に配置されていることを特徴とする請求項１乃至９のいずれか一項に記載の車両用シート。
【手続補正２】
【補正対象書類名】明細書
【補正対象項目名】００１１
【補正方法】変更
【補正の内容】
【００１１】
前記課題は、本発明の車両用シートによれば、車体フロアに形成された収納位置に収納可能な車両用シートであって、該車両用シートが備えるシートクッションに連結され、該シートクッションを前記収納位置に移動させるために、前記車体フロアに対して取り付けられた回動軸を介して回動する回動リンクと、前記シートクッションが所定の軌道に沿って前記収納位置に移動するように、ガイドリンク用回動軸を介して回動して前記シートクッションをガイドするガイドリンクと、前記車両用シートの前後方向において前記ガイドリンクと並ぶ位置に設けられ、前記シートクッションを付勢しながら、付勢部材用回動軸を介して前記ガイドリンクとともに前記車体フロアに対して回動する付勢部材と、を備え、前記車両用シートの幅方向における前記ガイドリンク用回動軸の外端部は、前記幅方向における前記回動軸の外端部と、前記幅方向における前記付勢部材用回動軸の外端部との間に配置されていることにより解決される。
上記の車両用シートでは、ガイドリンク用回動軸の外端部は、回動軸の外端部と、付勢部材用回動軸の外端部との間に配置されているので、回動するリンク同士の干渉が極力抑制される。また、上記の車両用シートでは、一つの回動するリンクの配置位置を他の回動リンクの配置位置とずらすことにより、車内スペースを有効に活用して回動リンクを配置できるので、収納状態の車両用シートをよりコンパクト化することが可能となる。
【手続補正３】
【補正対象書類名】明細書
【補正対象項目名】００１２
【補正方法】変更
【補正の内容】
【００１２】
また、上記の車両用シートにおいて、前記ガイドリンクの上端部分は、前記シートクッションに連結軸を介して回動可能となるように連結され、前記ガイドリンクのうち、前記連結軸及び前記ガイドリンク用回動軸がそれぞれ取り付けられる部分は、シート幅方向において前記回動リンクと前記付勢部材の間に配置されていると、好適である。
【手続補正４】
【補正対象書類名】明細書
【補正対象項目名】００１３
【補正方法】変更
【補正の内容】
【００１３】
また、上記の車両用シートにおいて、前記ガイドリンクのうち、前記連結軸が取り付けられた部分は、シート幅方向において前記付勢部材とは異なる位置に配置されていると、より好適である。かかる構成であれば、車両用シートの収納時におけるガイドリンクと付勢部材のそれぞれの回動に伴う干渉を抑制できる。
【手続補正５】
【補正対象書類名】明細書
【補正対象項目名】００１４
【補正方法】変更
【補正の内容】
【００１４】
また、上記の車両用シートにおいて、前記回動リンクは、第１リンクと、該第１リンクよりもシート幅方向において前記ガイドリンク側の位置に配置される第２リンクと、を備え、前記ガイドリンクは、前記車体フロア上に設けられた軸固定具に対して前記ガイドリンク用回動軸を介して取り付けられ、該軸固定具は、シート幅方向において前記第２リンクの少なくとも一部分と重なる位置に配置されていると、好適である。
さらに、上記の車両用シートにおいて、前記回動リンクは、第１リンクと、該第１リンクよりもシート幅方向において前記ガイドリンク側の位置に配置される第２リンクと、を備え、該第２リンクは、前記車体フロアに対して、上下方向に延びている延出ブラケットを介して取り付けられ、前記ガイドリンクは、シート幅方向において前記延出ブラケットとは異なる位置に配置されていると、より好適である。かかる構成であれば、車両用シートの収納時における第２リンクとガイドリンクとのそれぞれの回動に伴う干渉を抑制できる。
さらにまた、上記の車両用シートにおいて、前記回動リンクは、第１リンクと、該第１リンクよりもシート幅方向において前記ガイドリンク側の位置に配置される第２リンクと、を備え、前記ガイドリンクは、シート前後方向において前記第１リンクよりも短くなるように形成され、かつ、シート幅方向において第１リンクよりも幅狭となるように形成されていると、より一層好適である。
【手続補正６】
【補正対象書類名】明細書
【補正対象項目名】００１５
【補正方法】変更
【補正の内容】
【００１５】
また、上記の車両用シートにおいて、前記ガイドリンクは、前記連結軸及び前記ガイドリンク用回動軸のうち少なくとも一方が取り付けられる本体部分と、該本体部分からシート幅方向において前記回動リンク側から前記付勢部材側に延びている延出部分と、を有していると、尚一層好適である。
【手続補正７】
【補正対象書類名】明細書
【補正対象項目名】００１６
【補正方法】変更
【補正の内容】
【００１６】
また、上記の車両用シートにおいて、前記第１リンクは、断面略Ｃ字形状からなる前方部分と、断面略Ｃ字形状からなり、前記前方部分よりも幅狭となるように形成され、前記前方部分に対して該前方部分の開口を通じて嵌め込まれている後方部分と、を有し、前記ガイドリンクの前記延出部分は、シート前後方向において前記後方部分側の位置に配置されていると、好適である。
以上の構成であれば、第１リンクのうち、幅が広い側よりも幅が狭くて強度が弱まっている側をガイドリンクで補強することができる。
【手続補正８】
【補正対象書類名】明細書
【補正対象項目名】００１７
【補正方法】変更
【補正の内容】
【００１７】
また、上記の車両用シートにおいて、前記シートクッションに対してシートバック用回動軸を介して回動可能に取り付けられるシートバックを備え、前記ガイドリンク用回動軸は、着座者が着座可能な使用状態のときに、シート前後方向において前記シートバック用回動軸よりも前方に配置されていると、好適である。
以上の構成であれば、着座状態において、ガイドリンクをシートバックの回動軸よりも後方へ突出させることを抑制することができる。
【手続補正９】
【補正対象書類名】明細書
【補正対象項目名】００１８
【補正方法】変更
【補正の内容】
【００１８】
また、上記の車両用シートにおいて、前記車体フロアと前記シートクッションの間に配置され、該シートクッションを支持する支持部材を備え、該支持部材は、回動自在な状態で前記シートクッションに連結され、収納状態のときに前記シートクッション側へ折り畳まれるように回動し、かつ、中継部材を介して前記回動リンクと連結されており、前記ガイドリンクは、使用状態のときにシート前後方向において前記中継部材とは異なる位置に配置されていると、より好適である。
以上の構成であれば、側面視から中継部材の取り付けを目視確認し易くなる。
【手続補正１０】
【補正対象書類名】明細書
【補正対象項目名】００１９
【補正方法】変更
【補正の内容】
【００１９】
本発明の車両用シートによれば、回動するリンク同士の干渉を極力抑えつつ、収納状態の車両用シートをよりコンパクト化することが可能となる。
本発明の車両用シートによれば、車両用シートの収納時におけるガイドリンクと付勢部材のそれぞれの回動に伴う干渉を抑制できる。
本発明の車両用シートによれば、車両用シートの収納時における第２リンクとガイドリンクとのそれぞれの回動に伴う干渉を抑制できる。
本発明の車両用シートによれば、ガイドリンクを小型化できる。
本発明の車両用シートによれば、第１リンクのうち、幅が広い側よりも幅が狭くて強度が弱まっている側をガイドリンクで補強することができる。
本発明の車両用シートによれば、着座状態において、ガイドリンクをシートバックの回動軸よりも後方へ突出させることを抑制することができる。
本発明の車両用シートによれば、側面視から中継部材の取り付けを目視確認し易くなる。
【手続補正１１】
【補正対象書類名】明細書
【補正対象項目名】０１３４
【補正方法】変更
【補正の内容】
【０１３４】
Ｓ  シート
Ｓ１  着座部
Ｔ  車体フロア
Ｔ１  収納スペース
Ｔ２  ストライカ
Ｔ３  取り付けブラケット
Ｔ４  ストライカ
１  シートクッション
１ａ  シートクッションフレーム
１ｂ、１ｃ、１ｄ  固定ブラケット
２  シートバック
３  ヘッドレスト
４  シート収納機構
１０  フットリンク（支持部材）
１０ａ  フランジ部
１０ｂ  ロック機構
１０ｃ  フットリンク用回動軸
２０  回動リンク
２１  内側リンク（第１リンク）
２１ａ  内側リンク用回動軸
２１ｂ  連結軸
２１ｃ  ロック機構
２２  外側リンク（第２リンク）
２２ａ  外側リンク用回動軸
２２ｂ  連結軸
２２ｇ  長尺部分
２２ｈ  短尺部分
２２ｉ  延出ブラケット
２３  ガイドリンク
２３ａ  ガイドリンク用回動軸
２３ｂ  連結軸
２４  ピストンダンパ（付勢部材）
２５  中継部材
２６ａ、２６ｂ  軸固定具
５０  回動リンク
１００  車両用シート
１０１  シートバック
１０１ａ、１０２ａ、１０３ａ  クッションパッド
１０１ｂ、１０２ｂ、１０３ｂ  表皮
１０２  シートクッション
１０３  ヘッドレスト
１０４  操作ストラップ
１１０  バックフレーム
１１１  連結ブラケット
１１２  リクライニング装置
１１３  回動軸（シートバック用回動軸）
１２０  クッションフレーム
１２１  サイドフレーム
１２２  前方連結パイプ
１２２ａ  連結ブラケット
１２３  後方連結パイプ
１２３ａ  連結ブラケット
１２４  パンフレーム
１２５  表皮掛け止め部
１２５ａ  掛け止め本体部
１２５ｂ  取り付け部
１２５ｃ  湾曲部
１２６  バネ部材
１３０  着脱脚
１３０ａ  脚回動軸
１３１  第１ロック装置
１３２  係合フック
１３２ａ  フック回動シャフト
１３２ｂ  突出部
１３３  第１回動プレート
１３３ａ  第１回動シャフト
１３４  第２回動プレート
１３４ａ  第２回動シャフト
１３４ｂ  掛け止めピン
１３４ｃ  連結ピン
１３５  作動プレート
１３５ａ  作動回動シャフト
１３５ｂ  掛け止めピン
１３６  付勢バネ
１３７  ストライカ
１３７ａ  前脚部
１３７ｂ  後脚部
１３７ｃ  脚連結部
１３８  固定部材
１３８ａ  第１固定部
１３８ｂ  第２固定部
１３８ｃ  第３固定部
１３９  ケーブル部材
１４０  回動リンク
１４１  第１回動リンク（第１リンク）
１４２  第２回動リンク（第２リンク）
１４２ａ  回動軸
１４３  第３回動リンク（ガイドリンク）
１４４、１４５  リンク回動軸
１４６  伝達部材（中継部材）
１４６ａ  伝達本体部
１４６ｂ  伝達回動軸
１４６ｃ  伝達リンク
１４６ｄ  伝達リンク回動軸
１４７  ピストンダンパ（付勢部材）
１４７ａ  ダンパ回動軸（付勢部材用回動軸）
１５０  第２ロック装置
１５１  係合フック
１５１ａ  フック回動シャフト
１５１ｂ  連結ピン
１５１ｃ  突出部
１５２  付勢バネ
１５３  作動プレート
１５４  ストライカ
１５５  ケーブル部材
１６０  第３ロック装置